(57)【特許請求の範囲】
【請求項１】
基油に、下記式（１）で表される酸性リン酸エステル及び酸化防止剤を配合してなる
ことを特徴とする潤滑油組成物。
【化１】
0006422260.tif 000006
（上記各式において、Ｒ１及びＲ２はいずれも炭素数は２０以上３０以下のアルキル基である。）
【請求項２】
請求項１に記載の潤滑油組成物において、
前記Ｒ１及びＲ２のうち少なくともいずれか１つが側鎖を有する
ことを特徴とする潤滑油組成物。
【請求項３】
請求項２に記載の潤滑油組成物において、
前記側鎖の炭素数が６以上１８以下である
ことを特徴とする潤滑油組成物。
【請求項４】
請求項１から請求項３までのいずれか１項に記載の潤滑油組成物において、
前記酸化防止剤がフェノール系酸化防止剤、アミン系酸化防止剤、及び硫黄系酸化防止剤のうち少なくともいずれか１種である
ことを特徴とする潤滑油組成物。
【請求項５】
請求項１から請求項４までのいずれか１項に記載の潤滑油組成物において、
前記酸性リン酸エステルを、組成物全量基準で０．０１質量％以上３質量％以下配合してなる
ことを特徴とする潤滑油組成物。
【請求項６】
請求項１から請求項５までのいずれか１項に記載の潤滑油組成物において、
当該組成物が緩衝器用である
ことを特徴とする潤滑油組成物。
【請求項７】
請求項６に記載の潤滑油組成物において、
前記緩衝器が四輪自動車用である
ことを特徴とする潤滑油組成物。
【発明の詳細な説明】
【技術分野】
【０００１】
本発明は、潤滑油組成物に関し、例えば、自動車や工業用の機械・装置に用いられる緩衝器用の潤滑油組成物に関する。
【背景技術】
【０００２】
緩衝器は乗用車のタイヤと車体を結ぶ部分に設置され、路面の凹凸や車速の増減によって発生する車体の揺れを減衰する役目を担っている。そのため、緩衝器の性能によって乗心地が大きく影響される。
緩衝器のフリクション（摩擦）はオイルシール（ゴム材）とロッド（クロムメッキ）部分に発生するものが主体である。したがって、ゴム材とクロムメッキ間に発生するフリクション特性を改善することが非常に重要な課題となる。また、緩衝器のロッドが伸び縮みする際に滑らかに動くためにはゴムフリクションの絶対値（ゴム材−金属間の摩擦係数）が小さいことが求められる。
そこで、これまで、ゴムフリクションの絶対値によりフリクション特性を評価することが行われ、当該パラメータの小さな緩衝器油が開発されてきた（非特許文献１、２参照）。
【先行技術文献】
【非特許文献】
【０００３】
【非特許文献１】石油学会石油製品討論会予稿集、９６頁（２００９年１２月）
【非特許文献２】トライボロジスト、５６７頁、第５６巻第９号（２０１１年）
【発明の概要】
【発明が解決しようとする課題】
【０００４】
しかしながら、非特許文献１、２に記載されているようなゴムフリクションの絶対値だけでは、フリクション特性を十分に評価することはできず、フリクション特性に優れる潤滑油を開発することは容易ではなかった。一方、車体の揺れを減衰させるためにはフリクションの仕事量（摩擦エネルギー；フリクションエネルギーとも称する。）が大きいことも重要であることがわかってきた。また、緩衝器は交換されることがないため、５年から１０年の間継続的に使用されることが一般的である。そのため、緩衝器用の潤滑油には酸化安定性も高い次元で求められる。
【０００５】
本発明はゴム材−金属間の摩擦係数が小さく、かつ摩擦エネルギーが大きく、さらに酸化安定性にも優れる潤滑油組成物を提供することを目的とする。
【課題を解決するための手段】
【０００６】
前記課題を解決すべく、本発明は、以下に示す潤滑油組成物を提供するものである。
〔１〕基油に、下記式（１）及び下記式（２）で表される酸性リン酸エステルのうち少なくともいずれか１種、並びに酸化防止剤を配合してなることを特徴とする潤滑油組成物。
【０００７】
【化１】
0006422260.tif 000002
（上記各式において、Ｒ１、Ｒ２及びＲ３はいずれもアルキル基である。Ｒ１及びＲ２の少なくともいずれか一方、並びにＲ３の炭素数は２０以上３０以下である。）
〔２〕上記〔１〕に記載の潤滑油組成物において、前記Ｒ１及びＲ２のうち少なくともいずれか１つが側鎖を有することを特徴とする潤滑油組成物。
〔３〕上記〔１〕に記載の潤滑油組成物において、前記Ｒ３が側鎖を有することを特徴とする潤滑油組成物。
〔４〕上記〔２〕又は〔３〕に記載の潤滑油組成物において、前記側鎖の炭素数が６以上１８以下であることを特徴とする潤滑油組成物。
〔５〕上記〔１〕から〔４〕までのいずれか１つに記載の潤滑油組成物において、前記酸化防止剤がフェノール系酸化防止剤、アミン系酸化防止剤、及び硫黄系酸化防止剤のうち少なくともいずれか１種であることを特徴とする潤滑油組成物。
〔６〕上記〔１〕から〔５〕までのいずれか１つに記載の潤滑油組成物において、前記酸性リン酸エステルを、組成物全量基準で０．０１質量％以上３質量％以下配合してなることを特徴とする潤滑油組成物。
〔７〕上記〔１〕から〔６〕までのいずれか１つに記載の潤滑油組成物において、当該組成物が緩衝器用であることを特徴とする潤滑油組成物。
〔８〕上記〔７〕に記載の潤滑油組成物において、前記緩衝器が四輪自動車用であることを特徴とする潤滑油組成物。
【発明の効果】
【０００８】
本発明によれば、ゴム材−金属間の摩擦係数が小さく、かつ摩擦エネルギーが大きく、さらに酸化安定性にも優れる潤滑油組成物を提供することができる。
【図面の簡単な説明】
【０００９】
【図１】ジテトラコシルアシッドフォスフェートの一例を模式的に示した図。
【図２】ジオクタシルアシッドフォスフェートの一例を模式的に示した図。
【図３】ジステアリルアシッドフォスフェートの一例を模式的に示した図。
【図４】実施例における摩擦試験装置を示す図。
【図５】摩擦試験装置により得られたリサージュ波形の一例を示す図。
【発明を実施するための形態】
【００１０】
本実施形態における潤滑油組成物（以下、「本組成物」ともいう。）は、基油に、所定の酸性リン酸エステル及び酸化防止剤を配合してなることを特徴とする。以下、本組成物について詳細に説明する。
【００１１】
［基油］
本組成物で用いられる基油には特に制限はなく、鉱油と合成油のうち少なくともいずれか一方、すなわちそれぞれ単独あるいは２種以上を組み合わせて用いたり、鉱油と合成油を組み合わせて用いてもよい。
緩衝器用であれば、摩擦特性を良好に保つ上で、４０℃における動粘度が５ｍｍ２／ｓ以上４０ｍｍ２／ｓ以下程度の基油を用いることが好ましい。
また、基油の低温流動性の指標である流動点については、特に制限されないが、−１０℃以下、特に−１５℃以下が好ましい。
【００１２】
このような鉱油としては、例えばナフテン系鉱油、パラフィン系鉱油、ＧＴＬ  ＷＡＸなどが挙げられる。具体的には、溶剤精製あるいは水添精製による軽質ニュートラル油、中質ニュートラル油、重質ニュートラル油、ブライトストックなどが例示できる。
一方、合成油としては、ポリブテンまたはその水素化物、ポリアルファオレフィン（１−オクテンオリゴマー、１−デセンオリゴマー等）、アルキルベンゼン、ポリオールエステル、二塩基酸エステル、ポリオキシアルキレングリコール、ポリオキシアルキレングリコールエステル、ポリオキシアルキレングリコールエーテル、ヒンダードエステル、及びシリコーンオイルなどが挙げられる。
【００１３】
［酸性リン酸エステル］
本組成物に配合される酸性リン酸エステルは、下記式（１）及び下記式（２）で表される。
【００１４】
【化２】
0006422260.tif 000003
【００１５】
上記各式において、Ｒ１、Ｒ２及びＲ３はいずれもアルキル基である。Ｒ１及びＲ２の少なくともいずれか一方、並びにＲ３の炭素数は２０以上３０以下である。
このような炭素数が２０以上３０以下のアルキル基としては、エイコシル基、ヘネイコシル基、ドコシル基、トリコシル基、テトラコシル基、ペンタコシル基、ヘキサコシル基、ヘプタコシル基、オクタコシル基、ノナコシル基、及びトリアコンチル基が挙げられる。
上記式（１）、式（２）の酸性リン酸エステルとしては、例えばＲ１〜Ｒ３がテトラコシル基あるいはオクタコシル基の場合、テトラコシルアシッドフォスフェート、ジテトラコシルアシッドフォスフェート、オクタコシルアシッドフォスフェート、及びジオクタシルアシッドフォスフェートなどが挙げられる。参考までに、ジテトラコシルアシッドフォスフェート及びジオクタシルアシッドフォスフェートの一例を模式的に示したものを図１、図２に示す。
酸性リン酸エステルが炭素数２０以上のアルキル基を有することで、摩擦係数と摩擦エネルギーを効果的に向上させることができる。また、このような酸性リン酸エステルの存在により酸化安定性も向上する。
さらに、前記したアルキル基の炭素数が３０以下であると基油への溶解性を担保できるので好ましい。前記したアルキル基の好ましい炭素数は２０以上２６以下であり、さらに好ましくは２０以上２４以下である。
一方、アルキル基の炭素数が上記した下限値を下回ると、摩擦係数が大きくなってしまい、摩擦エネルギーの増大も期待できない。例えば、図３にジステアリルアシッドフォスフェートの一例を模式的に示すが、アルキル基の炭素数が少ないので摩擦係数が大きく、摩擦エネルギーも小さなものとなる。
【００１６】
式（１）、式（２）におけるアルキル基は、直鎖でもよいが、側鎖を有することが摩擦係数の低減及び摩擦エネルギーの増大の観点より望ましい。さらに、側鎖が立体障害となり酸化安定性も向上する。すなわち、式（１）においては、Ｒ１及びＲ２のうち少なくともいずれか１つは側鎖を有していることが好ましい。また、式（２）においては、Ｒ３が側鎖を有していることが好ましい。さらに、前記した側鎖の炭素数は、６以上１８以下であることが好ましい。側鎖の炭素数が６以上であると、摩擦係数の低減及び摩擦エネルギー増大の観点より好ましい。また、側鎖の炭素数が１８以下であると基油への溶解性が良好となるので好ましい。
摩擦係数の低減、摩擦エネルギーの増大、及び酸化安定性の観点より、式（１）の酸性リン酸エステルのほうが式（２）の酸性リン酸エステルよりも好ましい。
【００１７】
本組成物では、前記した酸性リン酸エステルは、基油に対し組成物全量基準で０．０１質量％以上３質量％以下配合してなることが好ましく、配合量は０．１質量％以上２質量％以下であることがより好ましく、０．２質量％以上１質量％以下であることがさらに好ましい。酸性リン酸エステルの配合量が０．０１質量％以上であると、摩擦係数の低減や摩擦エネルギーの増大の観点だけでなく、酸化安定性の観点からも好ましい。また、酸性リン酸エステルの配合量が３質量％以下であると基油への溶解性を担保できるので好ましい。
【００１８】
［酸化防止剤］
本組成物には、さらに酸化防止剤が配合される。上記した所定の酸性リン酸エステルにも酸化安定性向上効果があるが、酸化防止剤を併用することで格別な酸化安定性を発揮するようになる。
酸化防止剤としては、アミン系酸化防止剤、フェノール系酸化防止剤及び硫黄系酸化防止剤のうち少なくともいずれか１種を好ましく使用することができる。これらの酸化防止剤は、１種を単独でまたは２種以上を任意に組み合わせて用いることができる。
アミン系酸化防止剤としては、例えば、モノオクチルジフェニルアミン、モノノニルジフェニルアミンなどのモノアルキルジフェニルアミン系化合物、４，４’−ジブチルジフェニルアミン、４，４’−ジペンチルジフェニルアミン、４，４’−ジヘキシルジフェニルアミン、４，４’−ジヘプチルジフェニルアミン、４，４’−ジオクチルジフェニルアミン、４，４’−ジノニルジフェニルアミンなどのジアルキルジフェニルアミン系化合物、テトラブチルジフェニルアミン、テトラヘキシルジフェニルアミン、テトラオクチルジフェニルアミン、テトラノニルジフェニルアミンなどのポリアルキルジフェニルアミン系化合物、α−ナフチルアミン、フェニル−α−ナフチルアミン、ブチルフェニル−α−ナフチルアミン、ペンチルフェニル−α−ナフチルアミン、ヘキシルフェニル−α−ナフチルアミン、ヘプチルフェニル−α−ナフチルアミン、オクチルフェニル−α−ナフチルアミン、ノニルフェニル−α−ナフチルアミンなどのナフチルアミン系化合物が挙げられる。
【００１９】
フェノール系酸化防止剤としては、例えば、２，６−ジ−ｔｅｒｔ−ブチル−４−メチルフェノール、２，６−ジ−ｔｅｒｔ−ブチル−４−エチルフェノールなどのモノフェノール系化合物、４，４’−メチレンビス（２，６−ジ−ｔｅｒｔ−ブチルフェノール）、２，２’−メチレンビス（４−エチル−６−ｔｅｒｔ−ブチルフェノール）などのジフェノール系化合物が挙げられる。
硫黄系酸化防止剤としては、例えば、２，６−ジ−ｔｅｒｔ−ブチル−４−（４，６−ビス（オクチルチオ）−１，３，５−トリアジン−２−イルアミノ）フェノール、五硫化リンとピネンとの反応物などのチオテルペン系化合物、ジラウリルチオジプロピオネート、ジステアリルチオジプロピオネートなどのジアルキルチオジプロピオネートなどが挙げられる。
これらの酸化防止剤の配合量は、本組成物全量基準で、０．０１質量％以上１０質量％以下程度であり、好ましくは０．０３質量％以上５質量％以下程度である。
【００２０】
なお、本発明において、「基油に所定の酸性リン酸エステル及び酸化防止剤を配合してなることを特徴とする潤滑油組成物」には、「基油に、所定の酸性リン酸エステル及び酸化防止剤を含む潤滑油組成物」だけでなく、「基油」、「所定の酸性リン酸エステル」及び「酸化防止剤」のうち少なくとも一つの成分の代わりに、当該成分が変性してなる変性物や、当該成分が反応した後の反応生成物を含む組成物も含まれる。
［その他の成分］
本組成物においては、本発明の効果を損なわない範囲で、必要に応じてさらに他の添加剤、例えば粘度指数向上剤、流動点降下剤、摩耗防止剤、摩擦調整剤、金属系清浄剤、無灰系分散剤、防錆剤、金属不活性化剤、及び消泡剤等を配合してもよい。また、上記各添加剤を含んだ本組成物には、当該添加剤が変性してなる変性物や、当該添加剤が反応した後の反応生成物を含む組成物も含まれる。
【００２１】
粘度指数向上剤としては、ポリメタクリレート、分散型ポリメタクリレート、オレフィン系共重合体（例えば、エチレン−プロピレン共重合体など）、分散型オレフィン系共重合体、スチレン系共重合体（例えば、スチレン−ジエン共重合体、スチレン−イソプレン共重合体など）などが挙げられる。粘度指数向上剤の配合量は、配合効果の点から、本組成物全量基準で０．５質量％以上、１５質量％以下程度である。
流動点降下剤としては、例えば質量平均分子量が１万以上、１５万以下程度のポリメタクリレートなどが用いられる。流動点降下剤の好ましい配合量は、本組成物全量基準で０．０１質量％以上、１０質量％以下程度である。
【００２２】
摩耗防止剤としては、例えばチオリン酸金属塩（Ｚｎ、Ｐｂ、Ｓｂ等）やチオカルバミン酸金属塩（Ｚｎ等）のような硫黄系摩耗防止剤、リン酸エステル（トリクレジルホスフェート）のようなリン系摩耗防止剤を挙げることができる。摩耗防止剤の好ましい配合量は、本組成物全量基準で０.０５質量％以上、５質量％以下程度である。
摩擦調整剤としては、例えば、ネオペンチルグリコールモノラウレート、トリメチロールプロパンモノラウレート、グリセリンモノオレエート（オレイン酸モノグリセライド）などの多価アルコール部分エステルなどが挙げられる。摩擦調整剤の好ましい配合量は、本組成物全量基準で０．０５質量％以上、４質量％以下程度である。
【００２３】
金属系清浄剤としては、金属サリシレート、金属フェネートおよび金属スルホネートの少なくともいずれかであることが好ましい。金属としては、アルカリ土類金属が好ましく、Ｃａがより好ましい。清浄性保持の観点からは、Ｃａサリシレートが特に好ましい。金属系清浄剤としては、本組成物の清浄性を保つため、塩酸法による塩基価が１００ｍｇＫＯＨ／ｇ以上２５０ｍｇＫＯＨ／ｇ以下であることが好ましい。金属系清浄剤の配合量としては、組成物全量基準かつ金属量換算で、６０質量ｐｐｍ以上６０００質量ｐｐｍ以下であることが好ましい。
無灰系分散剤としては、例えばコハク酸イミド類、ホウ素含有コハク酸イミド類、ベンジルアミン類、ホウ素含有ベンジルアミン類、コハク酸エステル類、脂肪酸あるいはコハク酸で代表される一価または二価のカルボン酸のアミド類などが挙げられる。無灰系分散剤の好ましい配合量は、本組成物全量基準で０．１質量％以上、２０質量％以下程度である。
【００２４】
防錆剤としては、例えば、脂肪酸、アルケニルコハク酸ハーフエステル、脂肪酸セッケン、アルキルスルホン酸塩、多価アルコール脂肪酸エステル、脂肪酸アミド、酸化パラフィン、アルキルポリオキシエチレンエーテル等が挙げられる。防錆剤の好ましい配合量は、本組成物全量基準で０．０１質量％以上、３質量％以下程度である。
金属不活性化剤としては、例えばベンゾトリアゾール、チアジアゾールなどが、単独もしくは２種以上を組み合わせて用いられる。金属不活性化剤の好ましい配合量は、本組成物全量基準で０．０１質量％以上、５質量％以下程度である。
【００２５】
消泡剤としては、例えばシリコーン系化合物、エステル系化合物などが、単独もしくは２種以上を組み合わせて用いられる。消泡剤の好ましい配合量は、本組成物全量基準で０．０５質量％以上、５質量％以下程度である。
【００２６】
本組成物は、所定の構造を有する酸性リン酸エステルと酸化防止剤を配合してなるので、ゴム材−金属間の摩擦係数が小さく、かつ摩擦エネルギーが大きく、さらに酸化安定性にも優れる。それ故、緩衝器用として好ましく、特に乗り心地が重視される四輪自動車（乗用車、バス、及びトラック等）の緩衝器用として好適である。
なお、本組成物は、二輪用の緩衝器にも好ましく適用でき、さらに油圧作動油としても好ましく適用できる。
【実施例】
【００２７】
以下、実施例及び比較例により本発明をさらに具体的に説明するが、本発明はこれらの例によってなんら限定されるものではない。なお、各例における潤滑油組成物（試料油）の性状及び性能は下記の方法で求めた。
【００２８】
（１）４０℃動粘度
ＪＩＳ Ｋ ２２８３に準拠して測定した。
（２）４０℃動粘度増加率
ＩＳＯＴ試験（ＪＩＳ Ｋ ２５１４準拠：１３０℃、２４時間）を行った後に４０℃動粘度を測定し、ＩＳＯＴ試験前の４０℃動粘度に対する増加率（％）を求めた。
【００２９】
（３）摩擦係数及び摩擦エネルギー
図４に示す試験装置によりゴム−金属間の摩擦係数（動摩擦係数）及び摩擦エネルギーを求めた。具体的には、図４に示すように、試料油を介してゴムとＣｒ（クロム）めっき鋼板とを所定の荷重で圧接しながら往復摺動させ、リサージュ波形を記録した。図５にリサージュ波形の一例を示す。摩擦力の最大値より摩擦係数（μ）を求め、リサージュ波形の面積（振幅と摩擦力の積であり仕事量に相当）を摩擦エネルギーとして求めた。
試験条件は、以下の通りである。
温度            ：３０℃
振幅            ：±０．４ｍｍ（正弦波）
荷重            ：３ｋｇｆ（２９．４Ｎ）
上側テストピース：ＮＢＲ（ニトリルゴム）
下側テストピース：硬質Ｃｒメッキ鋼板
加振周波数      ：５Ｈｚ
試料油量        ：１００ｍＬ
【００３０】
〔実施例１〜２、比較例１〜１２〕
表１、表２に示す配合組成にしたがって各試料油を調製した。各試料油について、前記した方法により性状及び性能を評価した。結果も表１、表２に示す。
【００３１】
【表１】
0006422260.tif 000004
【００３２】
【表２】
0006422260.tif 000005
【００３３】
１）基油：パラフィン系鉱油（６０Ｎ、４０℃動粘度  ７．８ｍｍ２／ｓ）
２）酸化防止剤：ＤＢＰＣ（２,６-ジ-tert-ブチル-ｐ-クレゾール）
３）酸性リン酸エステルアミン塩：リン酸エステルのアルキル基はモノエチル基及びモノメチル基が主体）
４）ＺｎＤＴＰ：炭素数１２の一級アルキル基タイプ
５）ＺｎＤＴＰ：炭素数６の一級アルキル基タイプ（若干、イソプロピル基やイソブチル基を有する。）
【００３４】
〔評価結果〕
実施例１、２からわかるように、所定の酸性リン酸エステルと酸化防止剤を配合した試料油は、ゴム材−金属間の摩擦係数が小さく、かつ摩擦エネルギーが大きく、さらに酸化安定性に優れることがわかる。それ故、本発明によれば、乗り心地性に優れ、長期間に渡って使用可能な緩衝器油を提供できることが理解できる。
これに対して、各比較例の試料油は、各種の油性剤やリン系極圧剤などを配合したものであるが、いずれも摩擦係数、摩擦エネルギー、及び酸化安定性のすべてを同時に満足させることはできない。例えば、比較例２、３、５、及び１０は、実施例１、２と同じ酸化防止剤を同じ量だけ配合しているにもかかわらず酸化安定性に劣る。また、比較例１２は、比較的炭素数が多いアルキル基を有する酸性リン酸ジエステルを配合したものであるが、それでもアルキル基の炭素数は１８であり、本願発明におけるアルキル基の炭素数の下限値より少ないため、基油単独（比較例１：酸化防止剤のみ配合）の場合にくらべて摩擦係数が大きく、摩擦エネルギーの増大もほとんど認められない。
【図１】
0006422260.tif 000007
【図２】
0006422260.tif 000008
【図３】
0006422260.tif 000009
【図４】
0006422260.tif 000010
【図５】
0006422260.tif 000011